(57)【要約】【課題】コーナーに皺や破れのない見栄えがよい箱内装用トレー及びその製造方法を提供する。【解決手段】矩形の底板２、底板２の四辺に連接された側板３ａ、３ｂ、及び各側板３ａ、３ｂの細幅の上面４に連接された保持板５が一体となっている箱内装用トレー１を展開した形状で、さらに縦側板３ｂの端部とこれと隣り合う横側板３ａの端部との間に底板２の角まで切り欠きを形成した紙シートを凹型と凸型との間でプレスして各縦側板３ｂの端部とこれに隣り合う各横側板３ａの端部とがそれぞれ重なった状態に成形した箱内装用トレー。【選択図】図２
2005313910.tif 000002
【特許請求の範囲】
【請求項１】
紙シートをプレスして成形した、箱内に内装する箱内装用トレーであって、矩形の底板と、底板の四辺からそれぞれ斜め上方に立ち上げられている縦方向の縦側板及び横方向の横側板、各側板の上方に形成された細幅の上面から下方に向けて外側へ開くように折り曲げられた保持板とが一体となっており、各縦側板の端部とこれに隣り合う各横側板の端部とがそれぞれ重なったコーナーが形成されていることを特徴とする箱内装用トレー。
【請求項２】
請求項１記載の箱内装用トレーの製造方法において、矩形の底板、底板の四辺に連接された側板、及び各側板の細幅の上面に連接された保持板が一体となっている箱内装用トレーを展開した形状で、さらに縦側板の端部とこれと隣り合う横側板の端部との間に底板の角まで切り欠きを形成した紙シートを凹型と凸型との間でプレスして各縦側板の端部とこれに隣り合う各横側板の端部とをそれぞれ重なった状態に成形することを特徴とする箱内装用トレーの製造方法。
【発明の詳細な説明】
【技術分野】
【０００１】
本発明は、箱内に内装して物品のパッドとして使用する箱内装用トレー及びその製造方法に関するものである。
【背景技術】
【０００２】
食料品等の包装に箱が利用されているが、例えば、箱内にハムなどの物品を複数個並べて包装する場合に、物品をきれいに並べて見栄えをよくするとともに、持ち運びの時に物品のズレを防ぐために物品のパッドとして段ボール製のトレーが使用されている。例えば、特許文献１には、段ボールシートをプレス成形して形成したトレーを箱内に入れてハムなどを載せるパッドとして使用することが記載されている。
【０００３】
図５（ａ）は従来のトレーの素材となる段ボールシートの平面図、（ｂ）は従来の段ボール製トレーの斜視図及びコーナーの拡大図である。
【０００４】
図５（ａ）において、プレス成形する段ボールシートのブランク１は、トレーを展開した形状に抜き型で形成下形状をしており、底板２、底板２の四辺に連接された横側板３ａ及び縦側板３ｂ、さらに各側板３ｂ、３ｂの細幅の上面４を介して連接された保持板５で構成される。トレーのコーナーとなる部分にはプレスの際に絞りやすいように予め複数の罫線６が中央に向かってプレス成形されている。この段ボールシートを対向する凹型及び凸型の間でプレスしてトレーの形状に成形する。
【０００５】
図５（ｂ）に示す成形されたトレーは、底板２にはトレーに載せる物品の数に応じた仕切り用突起２ａが形成されている。各側板３ａ、３ｂは底板２の四辺からそれぞれ斜め上方に立ち上げられている。保持板５は各側板３ａ、３ｂの上面４から下方に向けて外側へ開くように折り曲げられており、トレーを箱に内装した際に箱の内面に弾性により接してトレーがズレないように保持する。
【特許文献１】特開平２００４−１００５０号公報
【発明の開示】
【発明が解決しようとする課題】
【０００６】
前記従来例において、トレーを展開した形状の段ボールシートのブランクをプレスにより成形したトレーの製造では、コーナーとなる部分にプレスの際に絞りやすいように予め複数の罫線が設けられている。
【０００７】
しかしながら、ブランクに罫線を入れる必要があるため、その分コストがかかるという欠点がある。また、プレスにより連続したコーナーを形成することはできるものの、図５（ｂ）に示すように、プレスによって縦側板３ａとこれと隣り合う横側板３ｂとがコーナーの接続部分で押し合って上方に歪な盛り上がり７が形成され、さらに盛り上がりの周囲には皺８が寄ったり、破れたり、あるいは中芯しん板の波形の間隔が不揃い９になったりして、見栄えがよくないという欠点があった。
【０００８】
そこで、本発明は、コーナーに皺や破れなどのない見栄えのよい箱内装用トレー及びその製造方法を提供するものである。
【課題を解決するための手段】
【０００９】
本発明の箱内装用トレーは、紙シートをプレスにより成形した、箱内に内装する箱内装用トレーであって、矩形の底板と、底板の四辺からそれぞれ斜め上方に立ち上げられている縦方向の縦側板及び横方向の横側板、各側板の上方に形成された細幅の上面から下方に向けて外側へ開くように折り曲げられた保持板とが一体となっており、各縦側板の端部とこれに隣り合う各横側板の端部とがそれぞれ重なったコーナーが形成されていることを特徴とする。
【００１０】
また、本発明の箱内装用トレーの製造方法は、前記箱内装用トレーの製造方法において、矩形の底板、底板の四辺に連接された側板、及び各側板の細幅の上面に連接された保持板が一体となっている箱内装用トレーを展開した形状で、さらに縦側板の端部とこれと隣り合う横側板の端部との間に紙シートの角まで切り欠きを形成した紙シートを凹型と凸型との間でプレスして各縦側板の端部とこれに隣り合う各横側板の端部とがそれぞれ重なった状態に成形することを特徴とする。
【発明の効果】
【００１１】
本発明により、縦側板と横側板が不連続であるため、コーナーに盛り上がりが形成されず、さらに段ボールの場合には波板の間隔も不揃いにならないので見栄えのよいコーナーを備えた箱内装用トレーが得られる。
【００１２】
また、本発明は、ブランクに罫線を入れる必要がないので、金型製作コストの低減を図ることができる。
【００１３】
また、段ボールなどリサイクル可能な紙板を使用することにより、紙資源を有効利用することができる。
【発明を実施するための最良の形態】
【００１４】
本発明では紙シートとして、片面段ボール、両面段ボールあるいは板紙などを使用することができるが、特にリサイクル可能な段ボールが好ましい。以下段ボールの場合について説明する。
【００１５】
図１（ａ）は、本発明による段ボール製トレーの製造に使用する段ボールのブランクの平面図、（ｂ）はブランクをプレスする凹型及び凸型の概略を示す縦断面図である。
【００１６】
図１（ａ）において、段ボールを抜き型で図１に示すブランク１を形成する。ブランク１は、トレーを、コーナー部を除いて展開した形状であり、矩形の底板２、底板２の四辺に連接された横側板３ａ及び縦側板３ｂ、及び各側板３ａ、３ｂの上部に形成される細幅の上面４に連接された保持板５が一体となっている。なお、図１（ａ）中の一点鎖線は折り曲げ線である。
【００１７】
本発明では、トレーのコーナー部分となる縦側板３ａとこれの隣り合う横側板３ｂとの間には、中心方向へ底板２の角まで切り欠き１０を形成する。本発明においては、この切り欠き１０を形成することにより、縦側板３ａとこれと隣り合う横側板３ｂとが不連続であるためプレスの際に押し合うことがないので、コーナー部分が隆起して盛り上がることがない。
【００１８】
ブランクが用意されると、図１（ｂ）に示すように、ブランク１を凹型１１と凸型１２の間に位置決めしたのちプレスする。なお、プレス装置は前述の従来の凹型１１と凸型１２のプレスをそのまま使用することができる。プレスをする際に、凹型１１あるいは凸型１２が移動するにつれて、縦方向の側板の端部がこれに隣り合う横方向の側板の端部に重なって移動しながプレスされる。プレス完了後、型から成形されたトレーを取り出す。
【００１９】
図２（ａ）は本発明のトレーの斜視図、（ｂ）はＡ−Ａ断面図、図３（ａ）はトレーのコーナー部を裏から見た斜視図、（ｂ）は同じく表から見た斜視図である。
【００２０】
図２、図３において、底板２にはトレーに載せる物品の数に応じた仕切り用突起２ａが形成され、各側板３ａ、３ｂは底板２の四辺からそれぞれ斜め上方に立ち上げられている。保持板５は各側板３ａ、３ｂの細幅の上面４から下方に向けて外側へ開くように折り曲げられている。
【００２１】
トレーのコーナー部は縦側板３ａの端部がこれに隣り合う横側板３ｂの端部に平らに重なり、周囲に皺が形成されたり、破れたりすることがない。
【００２２】
図４は、本発明の箱内装用トレーにハムを載せた状態を示す図で、トレーのコーナーに盛り上がりや周囲に皺が形成されていないのですっきりしたかんじであり、見映えがよい。
【図面の簡単な説明】
【００２３】
【図１】（ａ）は本発明による段ボール製トレーの製造に使用する段ボールのブランクの平面図、（ｂ）はブランクをプレスする凹型及び凸型の概略を示す縦断面図である。
【図２】（ａ）は本発明のトレーの斜視図、（ｂ）はＡ−Ａ断面図である。
【図３】（ａ）はトレーのコーナー部を裏から見た斜視図、（ｂ）は同じく表から見た斜視図である。
【図４】本発明の箱内装用トレーにハムを載せた状態を示す図である。
【図５】（ａ）は従来のトレーの素材となる段ボールシートの平面図、（ｂ）は従来の段ボール製トレーの斜視図及びコーナーの拡大図である。
【符号の説明】
【００２４】
１：ブランク
２：底板
２ａ：仕切り用突起
３ａ：横側板
３ｂ：縦側板
４：上面 
５：保持板
６：罫線
７：盛り上がり
８：皺（破れ）
９：不揃い
１０：切り欠き
１１：凹型
１２：凸型
【図１】
2005313910.tif 000003
【図２】
2005313910.tif 000004
【図３】
2005313910.tif 000005
【図４】
2005313910.tif 000006
【図５】
2005313910.tif 000007